(57)【要約】本発明は、両方の構成部品がピン（３）の周りを枢動動作するように互いに連結され、一緒になって細長い本体を形成する第１の位置と、ステープラで綴じる材料のための自由空間を形成する第２の位置の間を移動することができ、一方の構成部品（１）は綴じ針マガジン（４）と綴じ針ドライバ（５）を有する頂部（１０）を含み、他方の構成部品（２）はクリンチャ（６）を含む、第１の構成部品（１）および第２の構成部品（２）と、ピン（３）に隣接する本体端部側で引き出すことができるように、その巻き軸（２４）がピン（３）に平行でかつそれに隣接するように本体内に配置された巻き取り式巻尺（２３）とを備える多目的手持ち式用具に関する。
2005518951.tif 000002
【特許請求の範囲】
【請求項１】
第１の構成部品（１）及び第２の構成部品（２）を有し、該第１の構成部品（１）及び第２の構成部品（２）が、ピン（３）の周りを枢動動作するように互いに連結されると共に、一緒になって細長い本体を形成する第１の位置と、ステープラで綴じる材料のための自由空間を形成する第２の位置との間を移動することができ、一方の構成部品（１）は綴じ針マガジン（４）と綴じ針ドライバ（５）を有する頂部（１０）とを備え、他方の構成部品（２）はクリンチャ（６）を備え、引き出すことができるように前記本体内に配置された巻き取り式巻尺（２３）を備える多目的手持ち式用具であって、前記巻き取り式巻尺（２３）が、その巻き軸（２４）が前記ピン（３）に平行でかつそれに隣接するように配置されると共に、前記ピン（３）に隣接して位置する本体端部側で引き出すことができることを特徴とする多目的手持ち式用具。
【請求項２】
前記巻き取り式巻尺（２３）が、前記綴じ針マガジン（４）の後ろに配置されていることを特徴とする請求項１記載の多目的手持ち式用具。
【請求項３】
前記巻き取り式巻尺（２３）が、ハウジング（２２）内に配置されていることを特徴とする請求項１又は２記載の多目的手持ち式用具。
【請求項４】
綴じ針キャリヤ（２１）を収容する外側溝体（２０）および前記綴じ針ドライバ（５）を有する前記頂部（１０）が、分岐しており、または前記ピン（３）に隣接する通し開口（３９）を備えており、前記巻き取り式巻尺（２３）をその分岐部の領域内にまたは通し開口（３９）内に収容することを特徴とする請求項１又は２に記載の多目的手持ち式用具。
【請求項５】
前記外側溝体（２０）および前記頂部（１０）が共に前記ピン（３）に取り付けられていることを特徴とする請求項４記載の多目的手持ち式用具。
【請求項６】
前記クリンチャ（６）を支承する前記構成部品（２）が前記ピン（３）を収容するＵ字形の支承ブロック（８）を備えることを特徴とする請求項１乃至５のうちいずれか一項に記載の多目的手持ち式用具。
【請求項７】
１個のクリップばね（９）が、前記巻き取り式巻尺（２３）に対して側面に配置され、前記頂部（１０）上および前記クリンチャ（６）を収容する前記構成部品（２）上に支持され、予め力を加えて前記２個の構成部品を第２の位置に来させることを特徴とする請求項１乃至６のうちいずれか一項記載の多目的手持ち式用具。
【請求項８】
２個のクリップばね（９）が設けられ、前記巻き取り式巻尺（２３）がそれらの間に配置されることを特徴とする請求項７に記載の多目的手持ち式用具。
【請求項９】
前記クリップばね（９）が、前記クリンチャ（６）を収容する前記構成部品（２）のベースプレート（１１）上で支持されていることを特徴とする請求項７又は８に記載の多目的手持ち式用具。
【請求項１０】
前記クリンチャ（６）を収容する前記構成部品（２）が前記ハウジング（２２）を支承し、前記巻き取り式巻尺（２３）がこのハウジングから端部側の出口開口を通って外へ案内されることを特徴とする請求項３乃至９のうちいずれか一項に記載の多目的手持ち式用具。
【請求項１１】
前記クリンチャ（６）を収容する前記構成部品（２）が、前記ハウジング（２２）を上に固定したベースプレート（１１）を有することを特徴とする請求項１０記載の多目的手持ち式用具。
【請求項１２】
前記ハウジング（２２）が前記ベースプレート（１１）の切欠き部（１１ａ）内にはめ込まれ、さらにリベット留め、またはラッチされていることを特徴とする請求項１１記載の多目的手持ち式用具。
【請求項１３】
前記巻き取り式巻尺（２３）が、前記クリンチャ（６）を収容する前記構成部品（２）から、前記クリンチャ（６）とは反対側に位置する前記構成部品（２）の端部のスロットを通って外へ案内されることを特徴とする請求項１乃至１２のうちいずれか一項に記載の多目的手持ち式用具。
【請求項１４】
前記巻き取り式巻尺（２３）用ブレーキ（３１）が設けられていることを特徴とする請求項１乃至１３のうちいずれか一項記載の多目的手持ち式用具。
【請求項１５】
前記ブレーキ（３１）が、ばね（３４）を介して前記巻き取り式巻尺（２３）に予め力を掛けるボタン（３３）を備えることを特徴とする請求項１４記載の多目的手持ち式用具。
【請求項１６】
前記ブレーキ（３１）が前記ハウジング（２２）と共に部分組立品を形成することを特徴とする請求項１４又は１５記載の多目的手持ち式用具。
【請求項１７】
前記クリンチャ（６）を収容する前記構成部品（２）が、前記巻き取り式巻尺（２３）の出口開口部とは反対側に位置する端部に、旋回取り出しの工具（１２）を収容することを特徴とする請求項１０記載の多目的手持ち式用具。
【請求項１８】
前記綴じ針キャリヤ（２１）が前記巻き取り式巻尺（２３）の領域で分岐し、前記巻き取り式巻尺（２３）の後ろに配置された引き金（４２）に前記分岐端部（２１ａ）がはめ込まれていることを特徴とする請求項４記載の多目的手持ち式用具。
【請求項１９】
器具（４９ａ、４９ｂ）を収容する少なくとも１個のシャフトが、前記巻き取り式巻尺（２３）に対して側面に、前記第２の構成部品（２）内に配置され、前記器具が前記構成部品（２）からその端部側で引き出すことができることを特徴とする請求項１乃至１８のうちいずれか一項に記載の多目的手持ち式用具。
【請求項２０】
器具（４９ａ、４９ｂ）用の１個のシャフトが、それぞれ前記巻き取り式巻尺（２３）の両側に設けられていることを特徴とする請求項１９記載の多目的手持ち式用具。
【請求項２１】
前記器具（４９ａ）が１対のピンセットであることを特徴とする請求項１９又は２０記載の多目的手持ち式用具。
【請求項２２】
前記器具（４９ｂ）がペンまたは鉛筆であることを特徴とする請求項１９乃至２１のうちいずれか一項に記載の多目的手持ち式用具。
【発明の詳細な説明】
【技術分野】
【０００１】
本発明は、請求項１のプレアンブルに記載の多目的手持ち式用具に関する。
【背景技術】
【０００２】
そのようなステープラおよび巻き取り式巻尺を有する多目的手持ち式用具は、国際公開第９７／０４９２４号パンフレットから公知であるが、その巻き取り式巻尺は綴じる材料用のステープラの支承台に平行な平面内に配置され、それに対応する場所をとり、したがって、その場所は、鋏、ナイフブレード、拡大鏡などのその他の旋回して取り出す道具用には使用できない。
【発明の開示】
【発明が解決しようとする課題】
【０００３】
本発明の目的は、巻き取り式巻尺を残りの機能からわずかに逸れた領域に収容することが可能な、請求項１のプレアンブルに記載の多目的手持ち式用具を提供することである。
【課題を解決するための手段】
【０００４】
この目的は、請求項１の特徴部分によって達成される。
本発明の他の構成は、以下の説明および従属請求項から得ることができる。
本発明は、添付の図面に示された例示的実施形態を参照して、以下の本明細書においてより詳細に説明する。
【発明を実施するための最良の形態】
【０００５】
特に、事務作業を実施するために役立つ、ステープラを含む図示の多目的手持ち式用具は、ピン３の周りを枢動動作するように互いに連結された第１の構成部品１と第２の構成部品２を有する。第１の構成部品１は、綴じ針マガジン４および綴じ針ドライバ５を含む頂部１０を備え、第２の構成部品２はステープラ動作中押し出された綴じ針を折り畳むためのクリンチャ６を備えている。
【０００６】
それぞれ外殻１ａおよび２ａを備える構成部品１、２は、一緒になって、細長い原則的に閉じた本体を形成する閉位置と、ステープラで綴じる材料を導入するための自由空間を形成するように、相互にある角度で配置された第２の開位置の間を移動することができる。開位置から閉位置への移動は、２つのクリップばね９の力に抗してピン３の周りで行われ、ピン３は、底部構成部品２に支承されたＵ字形の支承ブロック８（図７で最もよく示す）の側面脚７に取り付けられている。クリップばね９は、ピン３の周囲に配置されており、一方では底部構成部品２上に支持され、他方では綴じ針ドライバ５を支承する頂部１０で支持された脚を有する。
【０００７】
２つの構成部品１、２を図１に示す位置に保持するために、かつ／またはこの位置から解除してこれら２つの構成部品を開いた位置に枢動できるようにするために、手動で解除可能なロック機構（図示せず）を備えることもできる。
そのような多目的手持ち式用具は、例えば、国際公開第９７／０４９２４号パンフレットに図示され説明されている。
【０００８】
底部構成部品２は、頂部構成部品１の方向に、ベースプレート１１によって覆われている。ベースプレート１１内にはクリップばね９がはめ込まれ、クリンチャ６を収容している。
さらに、例えば、鋏１２ａ、ナイフブレード１２ｂ、綴じ針除去器１２ｃなどその他の旋回取り出し工具１２が底部構成部品２の外側に開いた収納場所に配置されている。旋回取り出し工具１２は、柄１４を有し、柄１４は、共通の枢動ピン１３の周りを回転することができ、それぞれ板ばね１５の作用を受ける。その結果、旋回取り出しされる工具１２は予め力を加えられた旋回収納位置内にあり、手動で解除することができる方法で、板ばね１５の頭部１６を柄の切欠き１７内にラッチすることによって、旋回取り出し位置にラッチする。旋回取り出しされた位置では、２つの構成部品１、２は、図１に示す閉じた状態で旋回取り出しされた工具１２のそれぞれのハンドルとして働く。
【０００９】
底部構成部品２の側面にはめ込まれたレバー１９によって作動させることができる持上機構１８は、旋回取り出し工具１２を板ばね１５の力に逆らってある程度引き起こす働きをし、その結果、把持し旋回取り出しすることがより容易になる。
旋回取り出し工具および持上機構を有する多目的手持ち式用具は，例えば、国際公開第９９／２０４３８号パンフレットに図示され、説明されている。
【００１０】
頂部１０は、後面部分で分岐し、脚１０ａを介して枢動できるようにピン３に連接されている。さらに、綴じ針マガジン４は、同様に分岐しピン３の周りを枢動することができる外側溝体２０を備えている。外側溝体２０は、ばねによって作動するスライド（図示せず）によってその前面壁に押し付けられた一塊の綴じ針を収容する綴じ針キャリヤ２１を収容する働きをする。綴じ針キャリヤ２１は、ステープラが作動するとき、綴じ針ドライバ５の動作の下でクリンチャ６の方向に綴じ針が通過することができるスロットを有し、綴じ針は次いでクリンチャ６によって折り曲げられる。
【００１１】
巻き取り式巻尺２３は用具の長手方向軸に関しほぼ中央にベースプレート１１に固定されている。巻尺はハウジング２２内に配置され、ピン３に平行に走る巻き軸２４の周りに巻かれている。図示する例示的実施形態では、ベースプレート１１は切欠き部１１ａを有し、ハウジング２２は、一方では溝２６を有する鉤状の延長部２５を介してベースプレート１１に固定され，他方では、ベースプレート１１および支持ブロック８を貫通する少なくとも１つのリベット２７によってベースプレート１１に固定されている。（少なくとも１つのリベット２７の代わりに、スナップ動作式留め金を使用することも可能である。）ハウジング２２は、ベースプレート１１の切欠き部内で位置決めするための停止部２８をさらに有することができ、クリップばね９と、頂部１０、外側溝体２０および綴じ針キャリヤ２１の分岐部分の間で、かつ支持ブロック８の脚７と上部構成部品１の外殻１ａの下の突起の間に位置している。その結果、ベースプレート１１の下の空間は基本的にハウジング２２によって占有されなくなる。旋回取り出し工具１２の配置によっては、ハウジング２２を，完全にまたは部分的にベースプレート１１の下または第１の構成部品１の上に配置することが可能である。
【００１２】
図示の例示的実施形態の場合は、巻き取り式巻尺２３は、クリンチャ６と反対側に位置する端部の中央スロットを通って、本質的にベースプレート１１に平行な底部構成部品２から外へ案内される。巻き取り式巻尺２３はまた、例えば、９０°オフセットした状態で底部構成部品２から外へ案内することもできる。底部構成部品２は、巻き取り式巻尺２３の折り曲げた厚い端部３０を収容し把持するためのアクセス用くぼみ２９を有する。
【００１３】
さらに、巻き取り式巻尺２３用のブレーキ３１が好都合に設けられている。ブレーキ３１はピン３２の周りを枢動動作するように配置されたボタン３３を備える。ボタン３３は、ピン３２の周りに位置し、一方ではボタン３３に支持され他方ではハウジング２２の脚３５で支持された脚ばね３４によって巻き取り式巻尺２３に押し付けられる。対応してボタン３３を脚ばね３４の力に逆らって作動させると、巻き取り式巻尺２３が解除され、引き出されあるいは自動的に巻き込まれる。本例示的実施形態では、ボタン３３は、アクセスくぼみ２９を備えている。
【００１４】
巻き取り式巻尺２３を有するハウジング２２と、もし存在する場合は、ブレーキ３１は、そのように使用され、ベースプレート１１上に固定される組立式のモジュールであることが好都合であり、巻き取り式巻尺２３をそのハウジング２２と共に頂部および／または底部構成部品１、２内に位置させることができる。
図５から図９に示す例示的実施形態では、巻き取り式巻尺２３用のハウジング２２は、ブレーキ３１と共に取り付け準備のできた部分組立品を形成し、ブレーキ３１はピン３２を介してハウジング２２に保持されている（ここでは、ばね３４は示されていない）。出来上がったユニットは、支承ブロック８を支承するベースプレート１１の対応する切欠き部１１ａ内に下から挿入される。図５から分かるように、この場合は、ベースプレート１１の縁は、スロット２２ａによって内側に向けてハウジング２２内に収容されており、その結果ハウジング２２は上流へ向かって押し付けられており、その結果、ベースプレート１１の反対側の縁はハウジング２２の斜面状の突き出し部２２ｂとステップ２２ｃの間で中にラッチされる。ベースプレート１１上に固定された支承ブロック８は、ベースプレート１１内の切欠き部１１ａより若干大きい切欠き部を備えることが好都合であり、その結果、ハウジング２２はベースプレート１１の縁を把持するだけとなる。ハウジング２２は頂部に開口２３を有しているが、その理由は空間を設けることのみである。
【００１５】
この例示的実施形態の場合ではまた、頂部１０、外側溝体２０および綴じ針キャリヤ２１は、ハウジング２２のための通し開口３９を有している。
図５は、閉じた状態にある本発明の用具を示す。用具を開くために、すなわち、２つの構成部品１、２をピン３の周りで枢動させるために、ラッチばね３８内にラッチするボタン３６を構成部品１の頂部上に移動させることができる。その結果、ボタン３６と結合された閉鎖板３７（図６）が、構成部品１内に位置する頂部１０に対して移動し、頂部１０はロック位置から解放位置へピン３の周りを枢動することが可能となり、その結果、綴じる材料用の導入スロットが、２つの構成部品１、２の間に口状に開く。
【００１６】
ステープラのうちで綴じ針マガジン４、綴じ針ドライバ５、外側溝体２０および綴じ針キャリヤ２１を含み、頂部１０によって収容される部分は、ロック手段４０によって頂部１０内の非作動位置に保持されている。ボタン４１によって、ロック手段４０を解除し、それによって、ステープラを作動させることが可能である。
頂部１０は、どちらも同様にピン３の周りを枢動することができるステープラの外側溝体２０および引き金４２を収容する。引き金４２は、ボタン４３を押し込むことによって、ボタン４３を介してある位置まで枢動させることができ、その位置で、分岐端２１ａを介して引き金４２によって保持されている綴じ針キャリヤ２１（図９参照）が解除され、（ステープラが作動するようになると共に）ばね力によって延長位置へ移動できるようになり、その結果、綴じ針の新たな一塊の導入が可能となる。
【００１７】
頂部１０は、支承ブロック８上の停止部４４によって、その開度が制限されている。外側溝体２０には、ステープラ動作中、すなわち、２つの構成部品１、２の間の導入スロットが閉じている間は、いわゆる平面折り曲げ（ｆｌａｔ  ｃｌｉｎｃｈ）機構を形成するために、ベースプレート１１に対して移動することができるスライド４６と相互に作用する伝達レバー４５が位置している。その結果、綴じる材料を綴じ針が貫通するときまで、図１の実施形態では見えない紙受け４７が、図７に示すその位置に保持され、その後伝達レバー４５がさらに動くと、クリンチャ６の効果を発揮させるために紙受け４７が下側へ動かされる。
【００１８】
２つの例示的実施形態の場合は、１２ａから１２ｃの工具は、把持するのが容易な位置に持ち上げるための対応する持上げ機構を有するモジュールとして用具内に挿入することができ、この持上げ機構は、ピン４８に作用するレバー１９（図２）（図示せず）を介して作動させることができる。
図１０に図示する実施形態の場合は、別の取り外し式器具４９ａ、４９ｂが、巻き取り式巻尺２３のハウジング２２の両側でそれぞれ構成部品２のシャフト内に配置されている。特に、これらの器具は１対のピンセット（器具４９ａ）およびペンまたは鉛筆（器具４９ｂ）によって構成される。この２つの器具４９ａおよび４９ｂはそれぞれ、頭部（ｈｅａｄ）５０を備えており、それに外側に向いた突出部（ｎｏｓｅ）５１が配置されている。頭部５０は、本体の端部に設けられた対応する切欠き５２によって外殻２ａ内に面一で収容されている。指の爪を使ってそれぞれの突出部５１に力を加えて、器具４９ａ、４９ｂを移動させ、端部上に引き出すことができるように、ノッチ５３が切欠き５２に隣接して配置されている。
【図面の簡単な説明】
【００１９】
【図１】工具が部分的に旋回して取り出された状態で閉位置にある、２つの構成部品を有する多目的手持ち式用具の実施形態の断面図である。
【図２】多目的手持ち式用具のカバーを外した、構成部品の上面図である。
【図３】図１の多目的手持ち式用具の構成部品の連接領域の詳細斜視図である。
【図４】図１の多目的手持ち式用具の巻き取り式巻尺の取り付けモジュールの断面図である。
【図５】工具が旋回して収納された状態で閉位置にある、２つの構成部品を有する多目的手持ち式用具の他の実施形態の断面図である。
【図６】図５の多目的手持ち式用具の一部品を詳細に示す斜視図である。
【図７】図５の多目的手持ち式用具の一部品を詳細に示す斜視図である。
【図８】図５の多目的手持ち式用具の一部品を詳細に示す斜視図である。
【図９】図５の多目的手持ち式用具の一部品を詳細に示す斜視図である。
【図１０】図５の多目的手持ち式用具の他の実施形態の詳細斜視図である。
【図１】
2005518951.tif 000003
【図２】
2005518951.tif 000004
【図３】
2005518951.tif 000005
【図４】
2005518951.tif 000006
【図５】
2005518951.tif 000007
【図６】
2005518951.tif 000008
【図７】
2005518951.tif 000009
【図８】
2005518951.tif 000010
【図９】
2005518951.tif 000011
【図１０】
2005518951.tif 000012
【国際調査報告】
2005518951.tif 000013
2005518951.tif 000014
2005518951.tif 000015
2005518951.tif 000016